(57)【要約】【課題】  映像記録装置からリムーバブルメディアにダビング時にも、映像情報の再圧縮することなく、使い勝手のよい映像記録装置を提供する。【解決手段】  本発明の映像や音声を含む映像情報を圧縮し、圧縮された映像情報を録画する映像記録装置は、録画する映像情報の録画時間と予め定められた録画ビットレートから当該映像情報の最低録画容量を算出する手段と、前記最低録画容量と当該映像情報をダビングする録画媒体の記憶容量から当該映像情報の前記録画媒体に対して記録可能な複数の整数比率を表示する手段と、前記複数の整数比率から選択された比率に応じて当該映像情報の録画ビットレートを算出する手段を備えるようにした。さらに、上記整数比率は、映像圧縮方法や音声圧縮方法や録画媒体容量や当該映像情報の番組情報に応じて前記整数比率を表示するようにした。【選択図】図１
2008065867.tif 000002
【特許請求の範囲】
【請求項１】
映像や音声を含む映像情報を圧縮し、圧縮された映像情報を録画する映像記録装置において、
録画する映像情報の録画時間と予め定められた録画ビットレートから当該映像情報の最低録画容量を算出する手段と、
前記最低録画容量と当該映像情報をダビングする録画媒体の記憶容量から当該映像情報の前記録画媒体に対して記録可能な複数の整数比率を表示する手段と、
前記複数の整数比率から選択された比率に応じて当該映像情報の録画ビットレートを算出する手段を備えたことを特徴とする映像記録装置。
【請求項２】
映像や音声を含む映像情報を圧縮し、圧縮された映像情報を録画する映像記録装置において、
前記映像情報を記録する第１の録画媒体と、前記第１の録画媒体に記録された映像情報を再圧縮してダビングする第２の録画媒体とを有し、
前記第２の録画媒体に記録する映像情報の記録時間と予め定められた録画ビットレートから当該映像情報の最低録画容量を算出する手段と、
前記最低録画容量と当該映像情報をダビングする第２の録画媒体の記憶容量から当該映像情報の前記第２の録画媒体に対して記録可能な複数の整数比率を表示する手段と、
前記複数の整数比率から選択された比率に応じて当該映像情報の録画ビットレートを算出する手段を備え、
前記第１の録画媒体の映像情報を再圧縮して前記第２の録画媒体にダビングすることを特徴とする映像記録装置。
【請求項３】
請求項１または請求項２に記載の映像記録装置において、
前記録画媒体に対して記録可能な複数の整数比率を表示する手段は、複数の映像圧縮方法ごとに、前記整数比率を表示することを特徴とする映像記録装置。
【請求項４】
請求項１から請求項３に記載の映像記録装置において、
前記録画媒体に対して記録可能な複数の整数比率を表示する手段は、複数の音声圧縮方法ごとに、前記整数比率を表示することを特徴とする映像記録装置。
【請求項５】
請求項１から請求項４に記載の映像記録装置において、
前記録画媒体に対して記録可能な複数の整数比率を表示する手段は、複数の録画媒体容量ごとに、前記整数比率を表示することを特徴とする録画記録装置。
【請求項６】
請求項１から請求項５に記載の映像記録装置において、
前記録画媒体に対して記録可能な複数の整数比率を表示する手段は、当該映像情報の番組情報に応じて前記整数比率を表示することを特徴とする映像記録装置。
【発明の詳細な説明】
【技術分野】
【０００１】
本発明は、映像情報や音声情報を圧縮して記録する映像記録装置において、特に、録画再生装置に記録された映像情報や音声情報をリムーバブルメディアに記録するのに適した記録制御手段や制御方法を提供する技術に関するである。
【背景技術】
【０００２】
近年、デジタル映像情報を蓄積可能なＴＶパソコンやHDD/DVDレコーダーの普及が目覚しい。従来これらの映像記録装置では、ＸＰ（高画質）、ＳＰ（標準画質）、ＬＰ（長時間画質）などの録画画質を指定してＴＶ放送等の録画をおこなうため、録画が終了しないと録画番組の容量がわからない、といった問題があった。
【０００３】
このため、特許文献１等では、映像記録装置の記憶残容量を検出し、指定の録画画質で残容量に録画可能か否かを判断して可否を表示する方法や、残容量に対し自動的に録画画質を設定する方法が提案されていた。
【０００４】
【特許文献１】特許３６４５４８３号公報
【発明の開示】
【発明が解決しようとする課題】
【０００５】
上記の特許文献１等の従来技術によっても、映像記録装置の記憶容量を増加させることはできない。このため、いつかは映像記憶装置の残容量が無くなる。
【０００６】
この場合に映像記録装置の利用者は、映像記憶装置のＤＶＤメディア等に映像情報をダビングして映像情報を移動し、映像記録装置の記憶容量を復帰することがよくおこなわれる。
【０００７】
上記の映像情報をＤＶＤメディア等のリムーバブルメディアにダビングする際に、ダイビングする映像情報がメディアの記憶容量より大きい場合には、映像情報をメディア容量以下に再圧縮して、圧縮した映像情報をメディアに移動する。また、複数の映像情報をメディアに記憶する場合にも、映像情報の合計容量がメディアの記憶容量より大きい場合には、映像情報をメディア容量以下に再圧縮して、圧縮した映像情報をメディアに移動する。
【０００８】
このようにメディアに移動する映像情報を再圧縮する場合には、映像情報が劣化する問題が発生する。このため元の映像情報をＸＰ（高画質）モードで記録する必要があるが、映像記録装置の記録可能時間が低下してしまう。また、ダビング時に再圧縮時間が必要となりメディアへの記録時間が増加してしまうので、映像記録装置の使い勝手が悪くなる問題もある。
【０００９】
本発明の目的は、上記課題を解決し、メディアダビング時にも、映像情報の再圧縮することなく、使い勝手のよい映像記録装置を提供することにある。
【課題を解決するための手段】
【００１０】
本発明の映像や音声を含む映像情報を圧縮し、圧縮された映像情報を録画する映像記録装置は、録画する映像情報の録画時間と予め定められた録画ビットレートから当該映像情報の最低録画容量を算出する手段と、前記最低録画容量と当該映像情報をダビングする録画媒体の記憶容量から当該映像情報の前記録画媒体に対して記録可能な複数の整数比率を表示する手段と、前記複数の整数比率から選択された比率に応じて当該映像情報の録画ビットレートを算出する手段を備えるようにした。
【００１１】
また、本発明の映像や音声を含む映像情報を圧縮し、圧縮された映像情報を録画する映像記録装置は、前記映像情報を記録する第１の録画媒体と、前記第１の録画媒体に記録された映像情報を再圧縮してダビングする第２の録画媒体とを有し、前記第２の録画媒体に記録する映像情報の記録時間と予め定められた録画ビットレートから当該映像情報の最低録画容量を算出する手段と、前記最低録画容量と当該映像情報をダビングする第２の録画媒体の記憶容量から当該映像情報の前記第２の録画媒体に対して記録可能な複数の整数比率を表示する手段と、前記複数の整数比率から選択された比率に応じて当該映像情報の録画ビットレートを算出する手段を備えるようにし、前記第１の録画媒体の映像情報を再圧縮して前記第２の録画媒体にダビングするようにした。
【００１２】
さらに、前記録画媒体に対して記録可能な複数の整数比率を表示する手段は、複数の映像圧縮方法ごとに前記整数比率を表示するか、複数の音声圧縮方法ごとに、前記整数比率を表示するか、複数の録画媒体容量ごとに、前記整数比率を表示するか、当該映像情報の番組情報に応じて前記整数比率を表示するかのいずれかを含むようにした。
【発明の効果】
【００１３】
本発明によれば、録画再生装置に記録されている映像情報をメディアにダビングする際に画質劣化なく高速ダビングできるので、使い勝手のよい映像記録装置を提供することができる。
【発明を実施するための最良の形態】
【００１４】
以下、本発明の実施の形態を図面に基づいて詳細に説明する。
（実施例１）
図１は、本発明の実施の形態１による録画再生装置の構成を示す構成図である。図１において、録画再生装置は、例えば電子番組表等を用い、使用者へ録画を促すＧＵＩ１を表示する。使用者により所望の録画番組の録画時間が指定されると、パラメータ入力部２を介し、パラメータ判定部３に録画時間が指定される。  パラメータ判定部３では、指定された録画時間とあらかじめ設定された録画ビットレートの最低値から録画に必要な容量の最低値を算出し、ＧＵＩ表示制御部４に通知する。前記ＧＵＩ表示制御部４は、パラメータ判定部３から通知された録画に必要な容量の最低値を上回る特定の録画媒体の特定の割合のみをＧＵＩ１に表示する。ＧＵＩ１の表示内容については、図３から図１１に詳細に説明するが、これらの例以外にも、プルダウン表示による選択をおこなえるようにしてもよい。
【００１５】
使用者がＧＵＩ１に表示された特定の録画媒体の特定の割合から所望の割合を選択すると、パラメータ入力部２からパラメータ判定部３に割合が通知され、対象の割合に記録可能であることが判定されると、パラメータ設定部５に特定の録画媒体の特定の割合に対応する容量と時間が通知される。パラメータ設定部５は通知された容量時間から導かれる録画ビットレートを映像・音声圧縮部６に設定する。
【００１６】
放送受信部８より映像・音声圧縮部６に入力された映像、音声信号はパラメータ設定部５によって設定された録画ビットレートに従い圧縮され、録画媒体７に記録される。ダビング時には、録画媒体７に記録された録画番組は再圧縮せずに取り外し可能な録画媒体９にダビングされる。
【００１７】
次に録画時の動作について、操作ＧＵＩ（グラフィカル・ユーザ・インタフェース）を用い、説明する。
図３は、録画予約時の操作ＧＵＩである。使用者は以下のように所望の番組の録画を指定する。１０：００から１１：００の１時間の録画１３を行う場合、［録画時間］×［録画可能な最低ビットレート］により、録画に必要な最低の容量が算出される。例えば、あらかじめ設定された録画可能な最低ビットレートを２．３Ｍｂｐｓとすると、図３において１０：００から１１：００の１時間の録画１３を行う場合、２．３Ｍｂｐｓ×１時間から、録画に必要な最低の容量は、約１ＧＢと算出される。
【００１８】
一方、録画パラメータとして、録画サイズの指定に約４．７ＧＢの容量を持つＤＶＤの特定の容量割合に全体である１、１／２であるＤＶＤ−１／２、１／３であるＤＶＤ−１／３、１／４であるＤＶＤ−１／４を用いると、ＤＶＤ−１は約４．７ＧＢ、ＤＶＤ−１／２は約２．３ＧＢ、ＤＶＤ−１／３は約１．５ＧＢ、ＤＶＤ−１／４は１．２ＧＢとなり、先に算出された録画に必要な最低の容量１ＧＢと比較し、全ての割合に対する容量が大であり、録画可能と判定できるので、媒体割合１４にＤＶＤ−１、ＤＶＤ−１／２、ＤＶＤ−１／３、ＤＶＤ−１／４を表示する。
【００１９】
使用者が所望の録画割合を選択すると、［容量］／［録画時間］により求められる録画ビットレートが設定される。この録画ビットレートにおり、録画予約された放送番組の録画をおこなう。
【００２０】
次に図４においては、１０：００から１２：００の２時間の録画１３を行う場合、２．３Ｍｂｐｓ×２時間から、録画に必要な最低の容量は、約２ＧＢと算出される。ここで、ＤＶＤ−１／３、ＤＶＤ−１／４は、録画に必要な最低の容量２ＧＢと比較し小であることから、容量が足りないと判定できるので、割合１４にＤＶＤ−１とＤＶＤ−１／２のみ表示することが可能である。なお、ＤＶＤ−１／３、ＤＶＤ−１／４は表示するが選択できない表示方法でもよい。
【００２１】
使用者が所望の割合を選択すると、［容量］／［録画時間］により求められる録画ビットレートが設定される。この録画ビットレートにおり、録画予約された放送番組の録画をおこなう。
【００２２】
（実施例２）
図２は、本発明の実施の形態２による録画再生装置の構成を示す構成図である。実施の形態１と異なる箇所のみ説明する。より具体的には、実施例１は、アナログＴＶ放送の映像情報を録画する場合や、デジタルＴＶ放送のＴＳ映像情報をＰＳ映像情報として録画する場合を説明したが、ＤＶＤメディア等の第一の録画媒体１０やデジタルＴＶ放送のＴＳ映像情報を記録した第一の録画媒体１０の映像情報を、メディア（第二の録画媒体）にダビングする例をしめしている。
【００２３】
実施の形態１においては、放送受信部８より映像・音声圧縮部６に入力された映像、音声信号がパラメータ設定部５によって設定された値に従い圧縮され、録画媒体７に記録されるが、本実施例においては、第一の録画媒体１０に録画された録画データを映像・音声復号部１２で復号（デコード）し、映像・音声圧縮部６で再圧縮する際にパラメータ設定部５によって設定された値に従い圧縮する。録画の指示は録画予約時ではなく、再圧縮を行う際に指定される。その他の動作については、実施例１と同様なので、省略する。
【００２４】
図５、図６は、操作ＧＵＩのほかの実施例を説明する図である。図４とは、後述するように、映像圧縮手法１５を設定するようにした点が異なり、ほかの図と異なる箇所のみ説明する。
【００２５】
図５において１０：００から１２：００の２時間の録画１３を行う場合、映像圧縮手法１５に録画ビットレート最低値が２．３ＭｂｐｓであるＭＰＥＧ２（Ｄ１）を選択すると、２．３Ｍｂｐｓ×２時間から、録画に必要な最低の容量は、約２ＧＢと算出される。
【００２６】
一方、録画パラメータとして、録画サイズの指定に約４．７ＧＢの容量を持つＤＶＤの特定の割合を用いると、ＤＶＤ−１／３、ＤＶＤ−１／４は、録画に必要な最低の容量２ＧＢと比較し小であることから、容量が足りないと判定できるので、割合１４にＤＶＤ−１とＤＶＤ−１／２のみ表示することが可能である。なお、ＤＶＤ−１／３、ＤＶＤ−１／４は表示するが選択できない表示方法でもよい。
【００２７】
次に図６においては、映像圧縮手法１５に録画ビットレート最低値が１．５ＭｂｐｓであるＭＰＥＧ２（ｈａｌｆＤ１）を選択すると、１．５Ｍｂｐｓ×２時間から、録画に必要な最低の容量は、約１．３５ＧＢと算出され、ＤＶＤ−１／４は、録画に必要な最低の容量と比較し小であることから、容量が足りないと判定できるので、割合１４にＤＶＤ−１、ＤＶＤ−１／２、ＤＶＤ−１／３のみ表示することが可能である。なお、ＤＶＤ−１／４は表示するが選択できない表示方法でもよい。その他の動作については、実施例１、２と同様なので、省略する。
【００２８】
図７、図８は、本実施例のほかの操作ＧＵＩを説明する図である。先の実施例とは、音声圧縮手法１６を設定する点が異なり、ほかの図と異なる箇所のみ説明する。
【００２９】
まず、図７において１０：００から１２：００の２時間の録画１３を行う場合、音声圧縮手法１６に録画ビットレート最低値が２．３ＭｂｐｓであるＭＰＥＧを選択すると、２．３Ｍｂｐｓ×２時間から、録画に必要な最低の容量は、約２ＧＢと算出される。
【００３０】
一方、録画パラメータとして、録画サイズの指定に約４．７ＧＢの容量を持つＤＶＤの特定の割合を用いると、ＤＶＤ−１／３、ＤＶＤ−１／４は、録画に必要な最低の容量２ＧＢと比較し小であることから、容量が足りないと判定できるので、割合１４にＤＶＤ−１とＤＶＤ−１／２のみ表示することが可能である。なお、ＤＶＤ−１／３、ＤＶＤ−１／４は表示するが選択できない表示方法でもよい。
【００３１】
次に図８においては、音声圧縮手法１６に録画ビットレート最低値が３．８ＭｂｐｓであるＰＣＭを選択すると、３．８Ｍｂｐｓ×２時間から、録画に必要な最低の容量は、約３．４２ＧＢと算出され、ＤＶＤ−１／２、ＤＶＤ−１／３、ＤＶＤ−１／４は、録画に必要な最低の容量と比較し小であることから、容量が足りないと判定できるので、割合１４にＤＶＤ−１のみ表示することが可能である。なお、ＤＶＤ−１／２、ＤＶＤ−１／３、ＤＶＤ−１／４は表示するが選択できない表示方法でもよい。
【００３２】
図９、図１０は、本実施例のほかの操作ＧＵＩを説明する図である。先の実施例とは、録画対象メディアの媒体種別１７を設定する点が異なり、ほかの図と異なる箇所のみ説明する。録画ビットレート最低値を２．３Ｍｂｐｓとする。
【００３３】
まず、図９において１０：００から１２：００の２時間の録画１３を行う場合、２．３Ｍｂｐｓ×２時間から、録画に必要な最低の容量は、約２ＧＢと算出される。
録画対象メディアの媒体種別１７に容量４．７ＧＢのＤＶＤ１Ｌ（１層ＤＶＤ）を選択すると、ＤＶＤ１枚分の割合ＤＶＤ−１は約４．７ＧＢ、ＤＶＤ−１／２は約２．３ＧＢ、ＤＶＤ−１／３は約１．５ＧＢ、ＤＶＤ−１／４は１．２ＧＢとなり、ＤＶＤ−１／３、ＤＶＤ−１／４は、録画に必要な最低の容量２ＧＢと比較し小であることから、容量が足りないと判定できるので、割合１４にＤＶＤ−１とＤＶＤ−１／２のみ表示することが可能である。なお、ＤＶＤ−１／３、ＤＶＤ−１／４は表示するが選択できない表示方法でもよい。
【００３４】
次に図１０においては、録画対象メディアの媒体種別１７に容量８．５ＧＢのＤＶＤ２Ｌ（２層ＤＶＤ）を選択すると、ＤＶＤ−１は約８．５ＧＢ、ＤＶＤ−１／２は約４．２５ＧＢ、ＤＶＤ−１／３は約２．８３ＧＢ、ＤＶＤ−１／４は２．１ＧＢとなり、全ての割合で録画に必要な最低の容量２ＧＢと比較し大であることから、容量が足りていると判定できるので、割合１４にＤＶＤ−１、ＤＶＤ−１／２、ＤＶＤ−１／３、ＤＶＤ−１／４を表示することが可能である。
【００３５】
つぎに、録画予約された放送番組は、連続番組であった場合の例について説明する。放送番組が連続番組であるか否かは、例えば、地上デジタル放送においては、シリーズ記述子が規定されている。（電波産業会  地上デジタル放送運用規定  ＴＲ−Ｂ１４）シリーズ記述子のlast_episode_numberを参照することにより、連続性がある番組であると検知できるとともに、全放送回数を検出できる。
【００３６】
図１１は、本実施例の操作ＧＵＩである。例えば、録画可能な最低ビットレートを２．３Ｍｂｐｓとすると、図１１において１０：００から１１：００の１時間の録画１３を行う場合、２．３Ｍｂｐｓ×１時間から、録画に必要な最低の容量は、約１ＧＢと算出される。
【００３７】
前記のlast_episode_numberから、放送回数１８が１２回であることを検出し、その約数である１、２、３、４、６、１２を分母とするＤＶＤ−１、ＤＶＤ−１／２、ＤＶＤ−１／３、ＤＶＤ−１／４、ＤＶＤ−１／６、ＤＶＤ−１／１２の各々の録画パラメータに対応する容量と録画に必要な最低の容量を比較すると、ＤＶＤ−４が最低容量よりも大で指定可能であり、かつ、指定可能な録画パラメータのうち、最もサイズが小さいので、ＤＶＤ−４のみを表示することができる。
【００３８】
以上の実施例によれば、複数の録画番組を１つの録画媒体に録画したい場合、最適かつ効率的な録画画質を指定することが可能である。
【００３９】
また、複数の録画番組を１つの録画媒体に録画したい場合、映像の圧縮手法別に最適かつ効率的な録画画質を指定することが可能である。
【００４０】
また、複数の録画番組を１つの録画媒体に録画したい場合、音声の圧縮手法別に最適かつ効率的な録画画質を指定することが可能である。
【００４１】
また、複数の録画番組を１つの録画媒体に録画したい場合、録画媒体の種別ごとに最適かつ効率的な録画画質を指定することが可能である。
【００４２】
さらに、使用者は連続性のある録画番組を効率よく録画できる録画画質を選択することが可能である。
【図面の簡単な説明】
【００４３】
【図１】本発明の実施の形態１の構成を示した説明図である。
【図２】本発明の実施の形態２の画面の構成を示した説明図である。
【図３】本発明の実施の形態１の操作ＧＵＩを示した説明図である。
【図４】本発明の実施の形態１の操作ＧＵＩを示した説明図である。
【図５】本発明の実施例３の操作ＧＵＩを示した説明図である。
【図６】本発明の実施例３の操作ＧＵＩを示した説明図である。
【図７】本発明の実施例４の操作ＧＵＩを示した説明図である。
【図８】本発明の実施例４の操作ＧＵＩを示した説明図である。
【図９】本発明の実施例５の操作ＧＵＩを示した説明図である。
【図１０】本発明の実施例５の操作ＧＵＩを示した説明図である。
【図１１】本発明の実施例６の操作ＧＵＩを示した説明図である。
【符号の説明】
【００４４】
１：ＧＵＩ、２：パラメータ入力部、３：パラメータ判定部、
４：ＧＵＩ表示制御部、５：パラメータ設定部、６：映像・音声圧縮部（エンコーダ）、
７：録画媒体、８：放送受信部、９：取り外し可能な録画媒体、
１０：第一の録画媒体、１１：第二の録画媒体、１２：映像・音声復号部（デコーダ）、
１３：録画時間、１４：媒体割合、１５：映像圧縮手法、１６：音声圧縮手法、
１７：媒体種別、１８：放送回数
【図１】
2008065867.tif 000003
【図２】
2008065867.tif 000004
【図３】
2008065867.tif 000005
【図４】
2008065867.tif 000006
【図５】
2008065867.tif 000007
【図６】
2008065867.tif 000008
【図７】
2008065867.tif 000009
【図８】
2008065867.tif 000010
【図９】
2008065867.tif 000011
【図１０】
2008065867.tif 000012
【図１１】
2008065867.tif 000013